(57)【要約】ＤＳＶデータパターンを組み込むことによって伝送するデータファイルのコピー防止をすることが提案されている。ＤＳＶデータパターンは、すなわち、ＤＳＶ問題を引き起こさずに符号化することが困難な、データファイル中のデータパターンである。５つのオーディオトラックと２つのビデオトラックのデータが、エンコーダ（１０）とマルチプレクサ１２により、符号化データブロックのストリーム（１４）にＭＰＥＧファイルフォーマットで配置されている。このフォーマットでは、ビデオデータブロックＶはオーディオデータブロックＡおよびパディングストリームブロックＰと交互に配置されている。ＤＳＶデータパターン（１６）は、パディングストリームブロックＰおよび／または使用されていないオーディオデータブロック等の、ＭＰＥＧファイルのデータコンテントを有さない場所に組み込まれる。モニターまたは再生システムのいずれかに入力されるブロック内に組み込まれたＤＳＶデータパターンは再生に影響せず、消費者は伝送情報に自由にアクセスできる。しかし、ＣＤやＤＶＤライターがそのデータをディスクに書き込んでも、リーダが読んだ時に壊れたデータや読み出しエラーを示す情報を返す結果となる。このように、ＭＰＥＧファイル１４のデータはコピー防止がなされる。
2006518524.tif 000002
【特許請求の範囲】
【請求項１】
情報を伝送するためのデータファイルのコピー防止方法であって、
前記情報は、伝送に好適なフォーマットを有するデータファイルに符号化されており、
前記方法は、以下に定義するＤＳＶデータパターンを前記データファイルに組み込むステップを有し、
前記ＤＳＶデータパターンは、前記データファイルが光ディスクに正しく書き込めず、確実に読み出せないように選択され、かつ配置されることを特徴とする方法。
【請求項２】
請求項１に記載の方法であって、
前記データファイルは符号化データブロックのストリームを有し、
前記方法は、情報コンテントを有しない前記ストリーム中の選択されたブロックに前記ＤＳＶデータパターンを組み込むステップをさらに有することを特徴とする方法。
【請求項３】
請求項２に記載の方法であって、
前記ＤＳＶデータパターンは、前記選択されたブロックまたは各選択されたブロックにのみ組み込まれていることを特徴とする方法。
【請求項４】
請求項１ないし３いずれか一項に記載の方法であって、
前記データファイルフォーマットはＭＰＥＧ、ウィンドウズ（登録商標）圧縮メディアファイル、ＡＶＩファイル、その他の符号化圧縮ビデオ用ファイルフォーマットであることを特徴とする方法。
【請求項５】
請求項１ないし４いずれか一項に記載の方法であって、
前記ＤＳＶデータパターンは光ディスクライターにＤＳＶ問題を起こさせるように選択されることを特徴とする方法。
【請求項６】
請求項１ないし５いずれか一項に記載の方法であって、
前記ＤＳＶデータパターンは、前記ＤＳＶが大きな絶対値を有するように選択されることを特徴とする方法。
【請求項７】
請求項１ないし６いずれか一項に記載の方法であって、
前記ＤＳＶデータパターンは値の繰り返しパターンであることを特徴とする方法。
【請求項８】
請求項１ないし７いずれか一項に記載の方法であって、
前記ＤＳＶデータパターンのサイズは所定の大きさであることを特徴とする方法。
【請求項９】
請求項１ないし８いずれか一項に記載の方法であって、
前記ＤＳＶデータパターンは急激な変化率を有するＤＳＶとなるように構成されていることを特徴とする方法。
【請求項１０】
請求項１ないし９いずれか一項に記載の方法であって、
前記ＤＳＶデータパターンは、非常に低い周波数成分を有するＤＳＶとなるように構成されていることを特徴とする方法。
【請求項１１】
請求項１ないし１０いずれか一項に記載の方法であって、
伝送される前記情報はオーディオデータ、数値データ、テキストデータ、ビデオデータ、グラフィックスデータ、プログラムデータ、アニメーションデータ、および／またはその他のデータのうち１つ以上を有することを特徴とする方法。
【請求項１２】
情報の伝送に使用されるデータファイルであって、
前記データファイルは、前記情報が符号化されたブロックのストリームを有し、
前記ブロックのストリーム中の選択されたブロックに、以下に定義するＤＳＶデータパターンが組み込まれていることを特徴とするデータファイル。
【請求項１３】
請求項１２に記載のデータファイルであって、
前記ＤＳＶデータパターンは、前記選択されたブロックまたは各選択されたブロックの一部だけに組み込まれていることを特徴とするデータファイル。
【請求項１４】
請求項１２または１３に記載のデータファイルであって、
前記ＤＳＶデータパターンは情報コンテントを有さない選択されたブロックにだけ組み込まれたことを特徴とするデータファイル。
【請求項１５】
請求項１２ないし１４いずれか一項に記載のデータファイルであって、
前記ＤＳＶデータパターンはデータを含むブロックの不使用エリアに組み込まれていることを特徴とするデータファイル。
【請求項１６】
請求項１２ないし１５いずれか一項に記載のデータファイルであって、
前記データファイルはＭＰＥＧ、ウィンドウズ（登録商標）圧縮メディアファイル、ＡＶＩファイル、その他の符号化圧縮ビデオ用ファイルフォーマットを有することを特徴とするデータファイル。
【請求項１７】
請求項１２ないし１６いずれか一項に記載のデータファイルであって、
前記データファイルはＭＰＥＧフォーマットであり、
前記ブロックのストリームはビデオデータと、オーディオデータと、交互に配列されたパディングストリームブロックとを有し、
前記ＤＳＶデータパターンは情報コンテントを有さない選択されたブロックに組み込まれていることを特徴とするデータファイル。
【請求項１８】
請求項１７に記載のデータファイルであって、
前記ＤＳＶデータパターンはパディングストリームブロックに組み込まれていることを特徴とするデータファイル。
【請求項１９】
請求項１７または１８に記載のデータファイルであって、前記ＤＳＶデータパターンはオーディオデータブロックに組み込まれていることを特徴とするデータファイル。
【請求項２０】
請求項１２ないし１９いずれか一項に記載のデータファイルであって、
前記ＤＳＶデータパターンは光ディスクライターにＤＳＶ問題を起こさせるように選択されていることを特徴とするデータファイル。
【請求項２１】
請求項１２ないし２０いずれか一項に記載のデータファイルであって、
前記ＤＳＶデータパターンは、前記ＤＳＶが大きな絶対値を有することを保証するように選択されていることを特徴とするデータファイル。
【請求項２２】
請求項１２ないし２１いずれか一項に記載のデータファイルであって、
前記ＤＳＶデータパターンは値の繰り返しパターンであることを特徴とするデータファイル。
【請求項２３】
請求項１２ないし２２いずれか一項に記載のデータファイルであって、
前記ＤＳＶデータパターンのサイズは所定の大きさであることを特徴とするデータファイル。
【請求項２４】
請求項１２ないし２３いずれか一項に記載のデータファイルであって、
前記ＤＳＶデータパターンは、急激な変化率を有するＤＳＶとなるよう構成されていることを特徴とするデータファイル。
【請求項２５】
請求項１２ないし２４いずれか一項に記載のデータファイルであって、
前記ＤＳＶデータパターンは、非常に低い周波数を有するＤＳＶとなるよう構成されていることを特徴とするデータファイル。
【請求項２６】
請求項１２ないし２５いずれか一項に記載のデータファイルが記録された光ディスク。
【請求項２７】
請求項１２ないし２５いずれか一項に記載のデータファイルを含む記憶デバイス。
【請求項２８】
添付した図面を参照して以下に実質的に説明する情報伝送方法。
【請求項２９】
添付した図面を参照して以下に実質的に説明する情報伝送に用いるデータファイル。
【発明の詳細な説明】
【発明の詳細な説明】
【０００１】
本発明は、情報伝送のためのデータファイルのコピー防止方法、および情報伝送に使用されるデータファイルに関する。
【０００２】
映画、音楽、ビデオ、ゲーム、その他のマルチメディアプレゼンテーション等の情報を電子的に利用可能とすることがますます要求されている。例えば、これらの情報コンテントは、コンピュータまたはテレビジョンセットのスクリーン上に表示するためにインターネット、テレビ放送、またはケーブルにより伝送される。このように、ユーザが適当な料金を支払うことにより、映画を電子的に利用可能とすることが必要である。
【０００３】
しかし、消費者には記録可能ＣＤやそれに書き込むＣＤライターが容易に入手可能であり、記録可能ＤＶＤとそれに書き込むＤＶＤライターも近い将来容易に入手可能となると予測される。上で説明したような情報コンテントが電子的形式で、例えばインターネット経由で利用可能となると、消費者はそのコンテントを意図したように使用するだけでなく、適当な光ディスク上にそのコピーを作ることができるというリスクがある。
【０００４】
それゆえ、伝送された情報の利用をコントロールする必要がある。
【０００５】
本発明は、情報伝送のためのデータファイルをコピー防止する方法を提供するものである。
【０００６】
明細書と請求項にわたって、「ＤＳＶデータパターン」という用語は、符号化されたデータがＤＳＶ問題を引き起こすことなく符号化することが困難なデータパターンを意味する。
【０００７】
「ＤＳＶデータパターン」は、例えばライターにより符号化され光ディスクに書き込まれた時、ＤＳＶデータパターンを組み込んだ符号化データのリーダまたはプレーヤではＤＳＶ問題が起きる。
本発明の第１の態様によれば、情報を伝送するためのデータファイルのコピー防止方法であって、前記情報は、伝送に好適なフォーマットを有するデータファイルに符号化されており、前記方法は、ＤＳＶデータパターンを前記データファイルに組み込むステップを有し、前記ＤＳＶデータパターンは、前記データファイルが光ディスクに正しく書き込めないように選択され、かつ配置されることを特徴とする方法が提供される。
【０００８】
出願人は、現在入手可能なＣＤおよびＤＶＤライターの潜在的な限界をコピー防止技術に利用できることを発見した。このように、また先行するＰＣＴ国際出願第ＷＯ０２／１１１３６号で説明したように、出願人の発見によると、ＤＳＶデータパターンは、そのサイズと性質により、記録可能ディスク用のライターでディスクに正しく書き込んで、そのディスクを信頼性高く読み出し可能にすることができない。しかし、例えば、マスタリングハウス等で使用される高性能のエンコーダであれば、レーザビームレコーダを制御することができ、ガラスマスターにＤＳＶデータパターンを正しく書き込むよう制御することができる。
【０００９】
レーザビームレコーダに関連するエンコーダは、比較的大きなメモリと処理能力を最初から有している。特に、そのエンコーダは、符号化してディスクに書き込むＤＳＶデータパターンを含む情報を分析する高性能のアルゴリズムを使用している。これらのアルゴリズムの目的は、このガラスマスターを用いて制作したディスク上の情報をすべてのＣＤおよびＤＶＤリーダで正しく読めることを保証するように、この情報がガラスマスター上に符号化されていることを保証することである。ＣＤの場合、符号化プロセスの一部として符号化データに散らばらせるマージビットを選択し、選択されたマージビットパターンによりガラスマスターから作られたレプリカディスクの読み出し可能性を保証する。同様に、ＤＶＤの場合、読み出し可能性を保証するためにチャンネルビットのシーケンスを選択する。これらの高性能なエンコーダは、ディスクの１つのエリアの読み出し可能性を少し妥協して、ディスクの他のエリアの読み出し可能性を保証し、ディスク全体の読み出し可能性を一様に高くすることができる。
【００１０】
対照的に、商業的に入手可能なＣＤおよびＤＶＤライターは、データの符号化の問題に利用することができる処理能力とメモリにおいて制限を受けている。特に、書き込みデバイスに組み込まれたエンコーダは、より単純な符号化アルゴリズムを有するが、それはアルゴリズムを複雑にすると、より多くの処理能力とメモリを必要とし、設計・記述・デバッグに費用がかかり、ライターの利益マージンが下がるからである。より単純なこれらの符号化アルゴリズムは、よりよい選択が容易にできるときでも、マージビットやチャンネルビットのシーケンスについて理想的な選択はしない。ディスクの１つのエリアが高い読み出し可能性を保証するために容易に符号化でき、それに続く領域は符号化が困難で低い読み出し可能性となるとき、ライターの単純なエンコーダは１つのエリアの読み出し可能性を他のエリアのそれとトレードオフすることができない。その結果、容易に符号化できる領域はよく符号化されるが、符号化が難しい領域は符号化がうまくいかず、ディスクを読んだときに、この後者の領域でエラーとなる。
【００１１】
出願人の先行するＰＣＴ国際出願第ＷＯ０２／１１１３６号において、認証シグネチャを光ディスクに適用した。シグネチャは現在入手可能なライターの潜在的な限界を利用し、ＤＳＶ問題を引き起こすように選択される。
【００１２】
２００３年２月２１日に出願した同時継続出願第０３０４０１５．１号において、光ディスクに記録されるアプリケーションファイルにＤＳＶデータパターンを入れ、このＤＳＶデータパターンが光ディスクライターの潜在的な限界と協働して、その光ディスクに記録されたアプリケーションのコピー防止を提供することを出願人は説明し、特許請求した。
【００１３】
本発明の実施形態において、ＤＳＶデータパターンは伝送されるデータファイルに組み込まれる。これらのデータファイルが、例えばユーザコンピュータや伝送データのプレーヤにより受信された場合、アクセス可能であり、問題なく使用可能である。しかし、ユーザが受信したデータファイルを光ディスクに書き込むと、書き込まれたコピーは読み出し可能性問題が起こり、その光ディスクに記録された情報を再生または使用することが困難である。
【００１４】
例えば、ＤＳＶデータパターンを組み込まれたデータファイルをマスタリングハウスに伝送し、データファイルをガラスマスターに適用できるようにすることを要する場合がある。しかし、レーザビームレコーダに付随するエンコーダは、読み取り可能性を保証するようにデータファイルをガラスマスターに書き込むことができるはずである。あるいは、もし必要なら、特殊なエンコーダを使用してデータファイルをディスクに書き込むことができる。いずれの場合にも、書き込まれた光ディスクは、組み込まれたＤＳＶデータパターンによりコピー防止されている。
【００１５】
一実施形態において、前記データファイルは符号化データブロックのストリームを有し、前記方法は、情報コンテントを有さない前記ストリーム中の選択されたブロックに前記ＤＳＶデータパターンを組み込むステップをさらに有する。
【００１６】
好ましくは、前記ＤＳＶデータパターンは、前記選択されたブロックまたは各選択されたブロックにのみ組み込まれている。
【００１７】
前記データファイルフォーマットは、例えばＭＰＥＧ、ウィンドウズ（登録商標）圧縮メディアファイル、ＡＶＩファイル、その他の符号化圧縮ビデオ用ファイルフォーマットである
好ましくは、前記ＤＳＶデータパターンは光ディスクライターにＤＳＶ問題を起こさせるように選択される。
【００１８】
例えば、前記ＤＳＶデータパターンは、前記ＤＳＶが大きな絶対値を有するように選択される。
【００１９】
一実施形態において、前記ＤＳＶデータパターンは値の繰り返しパターンである。この値のパターンはランダムに選択してもよい。
【００２０】
前記ＤＳＶデータパターンのサイズは所定の大きさであってもよい。
【００２１】
前記ＤＳＶデータパターンは急激な変化率を有するＤＳＶとなるように構成されている場合に、ＤＳＶデータパターンの効果が最大となると思われる。
【００２２】
また、前記ＤＳＶデータパターンは、非常に低い周波数成分を有するＤＳＶとなるように構成されていることが好ましい。
【００２３】
周知のように、伝送される前記情報はオーディオデータ、数値データ、テキストデータ、ビデオデータ、グラフィックスデータ、プログラムデータ、アニメーションデータ、および／またはその他のデータのうち１つ以上を有する。
【００２４】
本発明の別の態様によれば、情報の伝送に使用されるデータファイルであって、前記データファイルは、前記情報が符号化されたブロックのストリームを有し、前記ブロックのストリーム中の選択されたブロックにＤＳＶデータパターンが組み込まれていることを特徴とするデータファイルが提供される。
【００２５】
一実施形態において、前記ＤＳＶデータパターンは、前記選択されたブロックまたは各選択されたブロックの一部だけに組み込まれている。
【００２６】
好ましくは、前記ＤＳＶデータパターンは、情報コンテントを有さない選択されたブロックにだけ組み込まれている。
【００２７】
前記データファイルは、例えば、ＭＰＥＧ、ウィンドウズ（登録商標）圧縮メディアファイル、ＡＶＩファイル、その他の符号化圧縮ビデオ用ファイルフォーマットを有してもよい。
【００２８】
前記データファイルがＭＰＥＧフォーマットであり、前記ブロックのストリームはビデオデータと、オーディオデータと、交互に配列されたパディングストリームブロックとを有するとき、前記ＤＳＶデータパターンは好ましくは情報コンテントを有さない選択されたブロックに組み込まれる。例えば、前記ＤＳＶデータパターンは、パディングストリームブロックに組み込まれていても、オーディオデータブロックに組み込まれていてもよい。
【００２９】
好ましくは、前記ＤＳＶデータパターンは、光ディスクライターにＤＳＶ問題を起こさせるように選択されている。
【００３０】
一実施形態において、前記ＤＳＶデータパターンは、前記ＤＳＶが大きな絶対値を有することを保証するように選択されている。
【００３１】
前記ＤＳＶデータパターンは値の繰り返しパターンであってもよい。
【００３２】
前記ＤＳＶデータパターンのサイズは所定の大きさであってもよい。
【００３３】
前記ＤＳＶデータパターンは、急激な変化率を有するＤＳＶとなるよう構成されていることが好ましい。現在のところ、これがコピーディスクの読み出し問題を保証する最も効果的な方法であると考えられる。
【００３４】
好ましくは、前記ＤＳＶデータパターンは、非常に低い周波数を有するＤＳＶとなるよう構成されている。
【００３５】
本発明は、上で規定したデータファイルが記録された光ディスクに及ぶ。
【００３６】
本発明の光ディスクは、合法的な、コピー防止された光ディスクであり、この光ディスクは、書き込む光ディスクに読み出し可能性問題を引き起こさずに、ＤＳＶデータパターンを記録し符号化できるエンコーダを用いて制作される。
【００３７】
本発明は、上で規定したデータファイルを含む記憶デバイスにも及ぶ。
【００３８】
例えば、前記データファイルはユーザのコンピュータやサーバのハードディスクその他のメモリに含まれる。
【００３９】
添付した図面を参照して、例として、本発明の実施形態を以下に説明する。
本発明のコピー防止技術は、例えば、ＰＣＴ国際出願ＷＯ０２／１１１３６に記載されたような、ＤＳＶデータパターンを使用することによるものである。以下にＤＳＶとそれをどのように利用するかを簡単に説明する。本説明を特にＣＤ−ＲＯＭの符号化のところから始める。しかし、当然のことながら、本発明はＣＤ−ＲＯＭの使用に限定されるものではなく、データが記録された光ディスクのすべてに適用できるものである。特に、本発明はＣＤのすべてのフォーマットとＤＶＤのすべてのフォーマットに適用可能である。
【００４０】
図１は、ＣＤの一部の拡大図であり、その上にピット６を見ることができる。周知の通り、これらのピットはディスク表面の螺旋状トラックに沿って延びており、ランドによって分離されている。
【００４１】
図２は、ピット６とランド８にまたがる断面を示しており、ＣＤ上でデータがどのように符号化されているかを示す。ピットとランドは２進数の０と１をあらわすのではなく、１つの状態から他の状態への遷移を表している。データ信号はＮＲＺＩ形式（Ｎｏｎ−Ｒｅｔｕｒｎ  ｔｏ  Ｚｅｒｏ  Ｉｎｖｅｒｔｅｄ）で格納され、１が出てくるたびに信号が反転される。図２は２進数値００１０００１０を示している。
【００４２】
データストリームは、常に、少なくとも３ビットで多くとも１１ビットの長さのピットとランドから成り立っている。これは３Ｔ−１１Ｔと呼ばれることもあり、ここでＴは１ビット期間である。３Ｔピットは信号周波数が最も高く（７２０ｋｈｚ）、１１Ｔピットは信号周波数が最も低い（１９６ｋｈｚ）。
【００４３】
データ信号はピットとランドの長さから導き出される。再生信号はＥＦＭ信号として知られる方形波を形成する。デジタル合計値（ＤＳＶ）は、ＥＦＭがピットを表しているＴ値の数とＥＦＭがランドを表しているＴ値の数との連続差（ｒｕｎｎｉｎｇ  ｄｉｆｆｅｒｅｎｃｅ）である。各データビットが読み出されるにつれ、データビットがピットに対応するかランドに対応するかに応じて、ＤＳＶは増加または減少する。
【００４４】
図３は、ディスク上のピットとランドに関連したＤＳＶを示している。図３に示されているように、ＤＳＶは、各ランドＴに値＋１を割り当て、各ピットＴに−１を割り当てることにより決定される。理想的には、ＤＳＶはゼロレベルからできるだけ離れない。ＤＳＶがかなりの時間にわたって急激に変化し、またはＤＳＶがかなり低い周波数成分を有しているとき、ＥＦＭ信号の遷移はその理想的な値からシフトしてしまい、および／またはＣＤドライブ中のトラッキングおよびフォーカス回路の最適なヘッド位置を維持する能力が危うくなる。これにより、一般的にはＣＤからの読み出しが失敗する。
【００４５】
オリジナルデータは、８ビットバイトの場合、ＥＦＭ符号化と呼ばれるプロセスを通り、１４ビットシンボルが作られる。このシンボルはチャンネルビットと呼ばれることが多い。１４ビットシンボルは、特に、ピットとランドの数をならしてバランスが取れたＤＳＶを維持し、３Ｔ−１１ＴのＥＦＭコーディング方式をシンボルが破らないことを保証するために設計されている。
【００４６】
３Ｔ−１１Ｔコーディング方式は、別の見方をすると、連続するゼロの数は２以上であり、１０以下であることである。２つの１４ビットシンボルが続く場合、この要件が危うくなることはすぐに分かる。従って、３Ｔ−１１Ｔコーディング方式を破らず、好適なＤＳＶを維持できるように、各１４ビットシンボルとそれに続く１４ビットシンボルとの間に３ビットからなる一組のマージビットが付加される。
【００４７】
マージビットには有用なデータは含まれておらず、その値を生成するために使用されるアルゴリズムはドライブごとに異なる。一旦読み出されると、マージビットは破棄され、１４ビットシンボルに含まれたデータが次のプロセスに送られる。
【００４８】
上記がＣＤの基本的な符号化方式の説明であり、当業者は分かるであろう。従ってこれ以上の説明は必要ない。
【００４９】
上記の通り、本発明の実施形態は、現在入手可能なＣＤまたはＤＶＤライターが有している限界を利用するものである。
【００５０】
ＣＤの符号化は、２つの厳しい条件と、１つのそれよりは漠然とした要求を前提とするものである。第１の厳しいルールは、符号化データがエラーなしにコンテントのプロバイダーがディスクに記録したデータに復号されなければならないことである。第２の厳しいルールは、符号化はランレングス限定ルールに従わねばならず、ピットやランドが１１Ｔより長かったり、３Ｔより短かったりしてはならないことである。漠然とした要求は、ディスクのＤＳＶの特徴ができるだけよくなければならないということである。
【００５１】
上記の通り、ＤＳＶは符号化データの特性であり、ピットＴ状態の数とランドＴ状態の数の間の連続的差（ｒｕｎｎｉｎｇ  ｄｉｆｆｅｒｅｎｃｅ）である。ＤＳＶはその絶対値が大きくなく、急激に変化せず、低周波数成分は有さないことが望ましい。この後者の要求は、ＤＳＶが通常のように変動してはいけないことを意味する。
【００５２】
ＤＳＶの特徴をよく保つため、データを有するシンボル間にマージビットを挿入するか選択することができる。ある特別なデータパターンを符号化するとき、エンコーダのマージビットを選択する能力は非常に低下するが、それはランレングス制限ルールにより、シンボルの前後に来るマージビットが制限されるからである。エンコーダは、このデータが符号化される間に、ＤＳＶを事実上ほとんど制御できない。選択ができる少ない場所で正しい選択を行うことが重要となる。
【００５３】
レーザビームレコーダを制御するような高級なエンコーダは、後続のエリアではランレングス制限ルールがマージビットを決めてしまう場合、その前のエリアにおいて、最適でないマージビットパターンを選択することができるか、またはそのように設計することができる。その選択の結果、その２つのエリアのＤＳＶの特性は全体としてよくなる。マージビットの選択が制限されるエリアが来ることをあらかじめ検出する能力は、「先読み」と呼ばれる。先読みの能力が高いエンコーダは、問題となるデータを符号化するためによりよく準備することができ、そのため符号化の質はよくなる。一般に、ＣＤライターの先読み能力は非常に限られており、ＤＳＶを制御できなくなった時、読み出しができないディスクとなってしまいがちである。
【００５４】
出願人は、ピットとランドレベルのＥＦＭパターンのためＤＳＶ問題を引き起こしうるシンボル値をいくつか特定した。これらの値のパターンがＣＤドライブのＥＦＭデコーダで処理されると、ＤＳＶは増加または減少し、結果として読み出しが失敗する。もちろん、上記の通り、ＣＤの符号化プロセスは、強いエラー訂正機能を提供するだけでなく、ＥＦＭパターンにおけるＤＳＶ問題を引き起こしうる値を避けるよう設計されている。
【００５５】
また、周知のように、ＤＶＤの場合、ＥＦＭプラスとして知られる符号化がなされる。この方式では、８ビットデータワードが１６ビットチャンネルビットに符号化され、ステートマシンを用いて１６ビットシンボルを選択する。コーディング方式が危うくならないようにこの選択を行うことができ、各シンボルのビット数を増やして柔軟性を持たせられるので、マージビットは必要とされない。
【００５６】
復号において、８ビットデータワードにある情報は再生されるが、符号化方式は失われる。
【００５７】
上記の通り、ＤＳＶデータパターン、すなわちＤＳＶ問題を引き起こさずに符号化することが困難なデータパターンを伝送するデータファイルに組み込むことを、本発明は提案するものである。ＤＳＶデータパターンをＭＰＥＧファイルに組み込むことを具体的に参照して、本発明を説明かつ例示する。しかし、本発明はＭＰＥＧファイルの使用に限定されておらず、デジタル情報を符号化するいかなるファイルフォーマットで使用することもできる。情報が例えばビデオおよび／またはオーディオであるとき、ファイルフォーマットはウィンドウズ（登録商標）圧縮メディアファイルやＡＶＩファイルであってもよい。
【００５８】
図４は、ＭＰＥＧファイル１４中のオーディオおよびビデオデータの配列と、それへのＤＳＶデータパターンの適用を示す概略図である。これに関して、具体的に示したファイルフォーマットはＭＰＥＧ２であり、ＭＰＥＧ２はビデオ伝送に現在のところ広く使用されているが、本発明は他のタイプのＭＰＥＧファイルにも同様に適用することができる。
【００５９】
図４に示したように、５つのオーディオトラックと２つのビデオトラックのデータが、エンコーダ１０とマルチプレクサ１２により、符号化データブロックのストリームにＭＰＥＧファイルフォーマットで配置されている。その符号化データのストリームは１４で示す。このフォーマットにおいて、このフォーマットでは、ビデオデータブロックＶはオーディオデータブロックＡおよびパディングストリームブロックＰと交互に配置されている。
【００６０】
図４に示したように、エンコーダ１８によりＤＳＶデータパターン（１６で示す）がＭＰＥＧファイル１４に組み込まれ、コピー防止データファイル１５が作られる。ＤＳＶデータパターン１６はＭＰＥＧファイルのデータコンテントを有さない場所に組み込まれる。このように、そして図示したように、ＤＳＶデータパターンはパディングストリームブロックＰおよび／または使用されていないオーディオデータブロックに組み込まれる。ＤＳＶデータパターン１６は、選択されたブロックＡおよび／またはＰの各々を完全に満たしてしまってもよいし、選択された各ブロックＡ、Ｐの一部のみに入れられてもよい。付加的および／または代替的に、ＤＳＶデータパターンは、データを含むブロック内の不使用エリアに挿入してもよい。
【００６１】
図４は、ＭＰＥＧファイルが生成された後に、ＭＰＥＧファイル１４にＤＳＶデータパターンを組み込むことを示している。もちろん、代替的に、ＤＳＶデータパターンは、ＭＰＥＧファイルが生成されているとき組み込まれてもよい。
【００６２】
図５は、ＤＳＶデータパターン１６が組み込まれたコピー防止ＭＰＥＧファイル１５の伝送を示す概略図である。データファイル１５は伝送手段（２０で示す）によりレシーバ（２２で示す）に伝送される。伝送手段２０はインターネット、地上波または衛星テレビ、ケーブルテレビ、その他のネットワークである。レシーバ２２は、周知の通り３つのバッファ２４、２６、２８を備えている。バッファ２４はビデオブロックを受け取り、バッファ２６はオーディオブロックを受け取り、バッファ２８はパディングストリームブロックを受け取る。バッファ２４からのビデオデータはモニター３０に送られ表示される。一方、バッファ２６からのオーディオデータはオーディオ再生システム（３２で示す）に送られる。これに関し、モニター３０または再生システム３２のいずれかに入力されるブロック内に組み込まれたＤＳＶデータパターンは再生に影響せず、消費者は伝送情報に自由にアクセスできる。
【００６３】
図６は、コピー防止されたＭＰＥＧファイル１５のコピーをするために使用するライター５２を示す。この点において、ＭＰＥＧファイル１５は受信者のコンピュータのメモリ６４に格納されていると仮定する。あるいは、ＭＰＥＧファイル１５はハードディスクに格納されていてもよい。ＭＰＥＧファイル１５のデータはエンコーダ５４により符号化され、記録レーザ５８とそのコントローラ５６により記録可能光ディスク７０（例えば、ＣＤ−ＲやＤＶＤ−Ｒ）に書き込まれる。しかし、データファイル１５はＤＳＶデータパターン１６が組み込まれている。ライター５２は、書き込んだ結果のディスク７０に重大な読み出し可能性問題を生じさせないで、ディスク７０にデータを書き込むことは困難である。従って、ライター５２がそのデータをディスク７０に書き込んでも、リーダが読んだ時に壊れたデータや読み出しエラーを示す情報を返す結果となる。このように、ＭＰＥＧファイル１４のデータはコピー防止がなされる。
【００６４】
もちろん、ガラスマスターを作るため、コピー防止されたＭＰＥＧファイル１５を例えばマスタリングハウス（ｍａｓｔｅｒｉｎｇ  ｈｏｕｓｅ）に伝送しなければならない場合がある。マスタリングプロセスは図６で示したものと同様であるが、マスタリングハウスで使用されるエンコーダ（エンコーダ５４に相当する）は一般に高機能であり、ＤＳＶデータパターンを組み込まれたＭＰＥＧファイル１５を読み出し可能性問題無しに書き込むことができる。あるいは、特殊なエンコーダを用いて、ガラスマスターにより制作されたディスクに読み出し可能性問題が起こらないようにすることができる。
【００６５】
図５に示したように、本発明を使用して、ローカルな使用のためにビデオを安全に伝送しながら、データが光ディスクに正しく書き込まれることを防止できるようにした場合、データファイルに組み込まれたＤＳＶデータパターンは非常に強く、ディスクライターに最大限の効果を与えるように構成することができる。伝送されたＭＰＥＧファイルをディスク（例えば、ガラスマスター）に合法的に記録したい場合、ＤＳＶデータパターンの数と場所に注意して、書き込んだディスクに読み出し可能性問題が起こらないようにしなければならない。
【００６６】
ＤＳＶパターンを書き込まれたＭＰＥＧファイル（１５）が光ディスク上に符号化されているとき、そのディスクはコピー防止がされている。この点において、光ディスクにＤＳＶデータパターンを組み込んだファイルを適用してその情報をコピー防止することは、２００３年２月２１日に出願した本出願人の同時継続出願第０３０４０１５．１号に記載されている。その同時継続出願で注意したように、例えば、ＤＳＶデータパターンが組み込まれたＭＰＥＧファイルの適用により、光ディスク上の情報をコピー防止でき、ＣＤやＤＶＤのレンタル産業に特に関係がある。
【００６７】
当然のことながら、ここに例示して説明した実施形態に対するバリエーションや修正が、添付した請求項の範囲内で可能である。
【図面の簡単な説明】
【００６８】
【図１】コンパクトディスクの表面を示す図であり、非常に大きく拡大され、ピットパターンを見ることができる。
【図２】ピットの断面を示す図であり、それと関連するデータが示されている。
【図３】コンパクトディスクのピットとランドに関連するＤＳＶを示す図である。
【図４】ＭＰＥＧフォーマットのデータファイルと、それに対するＤＳＶデータパターンの適用を示す図である。
【図５】図４のコピー防止されたデータファイルの伝送と復号を示す概略図である。
【図６】図４のデータファイルの光ディスクへの記録を示す図である。
【図１】
2006518524.tif 000003
【図２】
2006518524.tif 000004
【図３】
2006518524.tif 000005
【図４】
2006518524.tif 000006
【図５】
2006518524.tif 000007
【図６】
2006518524.tif 000008
【国際調査報告】
2006518524.tif 000009
2006518524.tif 000010
2006518524.tif 000011
2006518524.tif 000012
2006518524.tif 000013